(57)【要約】製品１２用の薄肉のたわみ性プラスチック製の外側容器１１とこの外側容器１１内に位置させた実質的に剛性の推進剤１４用内側容器１３とを持つ二重容器付きエーロゾル噴霧装置１０を提供する。ふた１５は、内側容器１３を閉じ弁アセンブリ１８を備える。弁アセンブリ１８内の推進剤用の一次弁７０及び第２の製品弁８０は、内側容器１１及び外側容器１３から推進剤弁棒穴４２及び製品弁棒穴４３を上昇しベンチュリ狭搾部３０を持つ吸引ノズル挿入体２９を備えたアクチュエータ２１内に入る流れを制御する。導管２２は、弁アセンブリ１８から内側容器１３を経て外側容器１１内に延びる。推進剤が過度に入るのを防ぎ外側容器１１が破損しないようにするために、製品用の二次弁８０の下流側の一方弁の形の三次弁３１は、アクチュエータ放出口３２の詰まるときに、閉じ、作動中にアクチュエータ２１から弁棒製品穴４２及び製品用の二次弁８０を通る方向を誤った推進剤流れが、製品を入れた外側容器１１に入らないようにする。
2004509743.tif 000002
【特許請求の範囲】
【請求項１】
エーロゾル噴霧分与装置において、
分与しようとする製品を入れるのに適する薄いたわみ性プラスチック外側容器と、
この外側容器内に位置させられ、加圧推進剤を、分与しようとする製品に接触しないで入れるのに適する実質的に剛性の内側容器と、
この内側容器の上部を閉じるふたと、
弁ハウジングと、前記ふたから外方に延びる弁棒と、前記内側容器及び外側容器からそれぞれ前記弁棒を通る流れを制御するための一次弁及び二次弁と、これ等の一次弁及び二次弁を密封するための第１及び第２の弾性の密封ガスケットとを備え、前記ふたに取付けれられた弁アセンブリであって、前記弁棒が、この弁棒の上端部において開いた上向きに延びる製品穴及び推進剤穴を画定し、これ等の製品穴及び推進剤穴のうちの一方が前記一次弁に連通し、他方が前記二次弁に連通するようにして成る弁アセンブリと、
前記弁アセンブリの一端部に連結され、前記内側容器を貫き前記エーロゾル噴霧分与装置に使えるようにさらに前記製品容器の基部に近接する長さまで延びる製品流れ径路を形成する導管であって、この導管が、前記内側容器から出る箇所においてこの内側容器に対し密封状態である導管と、
前記弁棒に取付けられるのに適し、前記製品穴及び推進剤穴の上端部に位置するようにした噴霧アクチュエータであって前記製品穴及び推進剤穴に連通する放出口と、ベンチュリ狭窄部を持つノズル挿入体とを備えることにより、前記内側容器から前記ノズル挿入体を通過する推進剤が前記外側容器から製品を吸引し、この結果前記製品及び推進剤が前記噴霧アクチュエータ放出口から出るようにして成る噴霧アクチュエータと、
前記製品流れ径路内において前記二次弁の下流側に位置させた一方弁の形の三次弁と、
を備え、
前記噴霧アクチュエータが作動させられるときに、前記三次弁は開くのに適し、製品が前記外側容器から吸引され導管を上昇させられ、そして前記噴霧アクチュエータが作動させられるときに、前記三次弁は、放出口が詰まる際に閉じて前記推進剤穴から前記噴霧アクチュエータ内への推進剤の流れを生じさせ、前記製品穴を下降させ、前記二次弁を通過させ、前記三次弁は、前記二次弁を通る前記推進剤流れの影響のもとに閉じて、推進剤がたわみ性の前記外側容器内に流入しないように、推進剤がたわみ性の前記外側容器内に流入しないように、推進剤がたわみ性の前記外側容器内に流入しないようにして成る、エーロゾル噴霧分与装置。
【請求項２】
前記内側容器の頂部を閉じる前記ふたに外周辺部を設け、前記ふたを前記内側容器に前記外周辺部においてまたは前記外周辺部に直接的に隣接して密封状態で取付け、前記ふたに、前記弁ハウジングに取付けた中心部分を設けた請求項１のエーロゾル噴霧分与装置。
【請求項３】
前記内側容器にその頂部に円周方向ビードを設け、前記内側容器の頂部を閉じる前記ふたが、内部に前記弁アセンブリを取付けた内部台部分と、前記内側容器の前記円周方向ビードのまわりに固定した外側みぞ部分とを備えエーロゾル弁取付けカップとした請求項２のエーロゾル噴霧分与装置。
【請求項４】
前記外側容器にその上端部に隣接してたなを設け、前記外側容器内に前記内側容器を位置させるように、この内側容器の円周方向ビードのまわりに固定した前記エーロゾル弁取付けカップの前記外側みぞ部分が、前記たな上にささえられた請求項３のエーロゾル噴霧分与装置。
【請求項５】
たわみ性の前記外側容器から製品を分与する際に、この外側容器内の大気圧力を均等化するように、この外側容器の外壁を貫いて延びるダック・ビル弁を、この外側容器に設けた請求項１のエーロゾル噴霧分与装置。
【請求項６】
前記導管に前記三次弁を設けた請求項１のエーロゾル噴霧分与装置。
【請求項７】
前記弁ハウジングに前記三次弁を設けた請求項１のエーロゾル噴霧分与装置。
【請求項８】
前記導管に、前記三次弁用の弁座と、この三次弁部材として作用する逆止め弁用ボールとを設けた請求項６のエーロゾル噴霧分与装置。
【請求項９】
前記弁座及び逆止め弁用ボールを含む弁座部材を備え、前記導管に、前記エーロゾル弁アセンブリの下端部に連結した一端部と、貫通して延びる流通路を持つ前記弁座部材に連結した他端部とを持つ第１の管状部材と、前記外側容器内に位置し、前記弁座部材に連通する第２の管状部材とを設けた請求項８のエーロゾル噴霧分与装置。
【請求項１０】
前記外側容器に、その頂部においてねじを設け、さらにねじ付きキャップ部材を備え、前記外側容器上に前記ねじ付きキャップ部材をねじ込む時に、前記ねじ付きキャップ部材のキャップ壁と、前記外側容器のたなとの間に前記内側容器の円周方向ビードを捕捉するための頂壁を前記ねじ付きキャップ部材に設けた請求項４のエーロゾル噴霧分与装置。
【請求項１１】
前記ねじ付きキャップ部材の頂壁に、前記弁棒及び噴霧アクチュエータを貫いて延びる中心穴を設けた請求項１０のエーロゾル噴霧分与装置。
【請求項１２】
前記導管に、製品流れ用の計量オリフィスを設けた請求項１のエーロゾル噴霧分与装置。
【請求項１３】
前記弁ハウジングに、製品流れ用の計量オリフィスを設けた請求項１のエーロゾル噴霧分与装置。
【請求項１４】
前記弁ハウジングに、前記内側容器から前記弁ハウジングの内部に推進剤が通ずるように、前記一次弁と、前記二次弁との間に位置させた１個又は複数個の側壁穴を設けた請求項１のエーロゾル噴霧分与装置。
【請求項１５】
前記二次弁に、たわみ性の第２の密封ガスケットと、前記弁棒の製品穴に連通する１個又は複数個の第１の横方向オリフィスとを設け、前記たわみ性の第２の密封ガスケットが、前記噴霧アクチュエータを作動してないときに、前記１個又は複数個の第１の横方向オリフィスに横方向に整合し、これ等の横方向オリフィスをふさぐようにした請求項１のエーロゾル噴霧分与装置。
【請求項１６】
前記製品穴を、前記弁棒の中心に配置した請求項１５のエーロゾル噴霧分与装置。
【請求項１７】
前記一次弁に、前記たわみ性の第１の密封ガスケットと、前記弁棒の前記推進剤穴に連通する前記弁棒の１個又は複数個の第２の横方向オリフィスを設け、前記たわみ性の第１の密封ガスケットが、前記噴霧アクチュエータを作動してないときに、前記１個又は複数個の第２の横方向オリフィスに横方向に整合し、これ等の横方向オリフィスをふさぐようにした請求項１５のエーロゾル噴霧分与装置。
【請求項１８】
前記弁棒が前記ふたの外方に延びる位置において、前記弁棒のまわりから前記内側容器まで推進剤圧力充てん径路を設け、第１の推進剤圧力充てん径路は、圧力充てん中に前記たわみ性の第１の密封ガスケットの上部の上を、この第１の密封ガスケットの外周縁部のまわりに延び前記内側容器内に下降し、圧力充てん中に第２の推進剤圧力充てん径路は、前記たわみ性の第１の密封ガスケットの上部の上を、この第１の密封ガスケットの内周縁部のまわりに前記弁ハウジングの内部を通り、この弁ハウジングの前記１個又は複数個の側壁穴を経て前記内側容器内に延びるようにし、さらに前記弁ハウジングの内側から前記たわみ性の第２の密封ガスケットを過ぎて延びる推進剤充てん径路の存在しないことを特徴とする請求項１のエーロゾル噴霧分与装置。
【請求項１９】
たわみ性製品用の外側容器と、推進剤用の内側容器とを持つエーロゾル・システムに使用するためのエーロゾル噴霧分与装置において、
前記外側容器内に位置するのに適すると共に分与しようとする製品に接触しないで加圧推進剤を入れるのに適する実質的に剛性の内側容器と、
この内側容易の上部を閉じるふたと、
弁ハウジングと、前記ふたから外方に延びる弁棒と、前記内側容器及び外側容器からそれぞれ前記弁棒を通る流れを制御するための一次弁及び二次弁と、これ等の一次弁及び二次弁を密封するための第１及び第２の弾性の密封ガスケットとを備え、前記ふたに取付けられた弁アセンブリであって、前記弁棒が、この弁棒の上端部において開いた上向きに延びる製品穴及び推進剤穴を画定し、これ等の製品穴及び推進剤穴のうちの一方が前記一次弁に連通し、他方が前記二次弁に連通するようにして成る弁アセンブリと、
前記弁アセンブリの一端部に連結され前記内側容器を貫き、さらに前記外側容器内に延びる製品流路を形成する導管であって、この導管が前記内側容器から出る箇所において前記内側容器に対し密封状態である導管と、
前記弁棒に取付けられるのに適し、前記製品穴及び推進剤穴の上端部に位置するようにした噴霧アクチュエータであって前記製品穴及び推進剤穴に連通する放出口とベンチュリ狭窄部を持つノズル挿入体とを備えることにより、前記内側容器から前記ノズル挿入体を通過する推進剤が前記外側容器から製品を吸引し、この結果前記製品及び推進剤が前記噴霧アクチュエータ放出口から出るようにして成る噴霧アクチュエータと、
前記製品流れ径路内において前記二次弁の下流側に位置させた一方弁の形の三次弁と、
を備え、
前記噴霧アクチュエータが作動させられるときに、前記三次弁は開くのに適し、製品が前記外側容器から吸引され導管を上昇させられ、そして前記噴霧アクチュエータが作動させられるときに、前記三次弁は、放出口が詰まる際に閉じて前記推進剤穴から前記噴霧アクチュエータ内への推進剤の流れを生じさせ、前記製品穴を下降させ、前記二次弁を通過させ、前記三次弁は、前記二次弁を通る前記推進剤流れの影響のもとに閉じて、推進剤がたわみ性の前記外側容器内に流入しないようにして成るエーロゾル噴霧分与装置。
【請求項２０】
たわみ性の製品用の外側容器と、推進剤用の内側容器と、製品穴及び推進剤穴を持つエーロゾル弁と、弁棒に取付けられるのに適し、前記製品穴及び推進剤穴の上端部に位置するようにした噴霧アクチュエータであって、ベンチュリ狭搾部を持つノズル挿入体を持つ噴霧アクチュエータとを備えることにより、前記内側容器から前記ノズル挿入体を経て流れる推進剤により前記外側容器から製品を吸引し、この結果前記製品及び推進剤が前記噴霧アクチュエータ放出口から出るようにした、エーロゾル・システムに使用するためのエーロゾル噴霧分与装置において、
この内側容器の上部を閉じるふたと、
弁ハウジングと、前記ふたから外方に延びる弁棒と、前記内側容器及び外側容器からそれぞれ前記弁棒を通る流れを制御するための一次弁及び二次弁と、これ等の一次弁及び二次弁を密封するための第１及び第２の弾性の密封ガスケットとを備え、前記ふたに取付けられた弁アセンブリであって、前記弁棒が、この弁棒の上端部において開いた上向きに延びる製品穴及び推進剤穴を画定し、これ等の製品穴及び推進剤穴のうちの一方が前記一次弁に連通し、他方が前記二次弁に連通するようにして成る弁アセンブリと、
前記弁アセンブリの一端部に連結され、前記内側容器を貫き前記エーロゾル噴霧分与装置に使えるようにさらに前記製品容器の基部に近接する長さまで延びる製品流れ経路を形成する導管であって、この導管が、前記内側容器から出る箇所においてこの内側容器に対し密封状態である導管と、
前記製品流れ径路内において前記二次弁の下流側に位置させた一方弁の形の三次弁と、
を備え、
前記噴霧アクチュエータが作動させられるときに、前記三次弁は、開くのに適し、製品が前記外側容器から吸引され導管を上昇させられ、そして前記噴霧アクチュエータが作動させられるときに、前記三次弁は、放出口が詰まる際に閉じて前記推進剤穴から前記噴霧アクチュエータ内への推進剤の流れを生じさせ、前記製品穴を下降させ、前記二次弁を通過させ、前記三次弁は、前記二次弁を通る前記推進剤流れの影響のもとに閉じて、推進剤がたわみ性の前記外側容器内に流入しないようにして成る、エーロゾル噴霧分与装置。
【発明の詳細な説明】
【０００１】
【産業上の利用分野】
本発明は、種種のエーロゾル製品（ａｅｒｏｓｏｌ　ｐｒｏｄｕｃｔｓ）を噴霧する手持ち噴霧器、ことに分与しようとする製品を入れる第１の容器と製品を分与する加圧推進剤を入れる第２の容器とを持つ二重容器噴霧器（ｄｕａｌ　ｒｅｃｅｐｔａｃｌｅ　ｓｐｒａｙｅｒ）に関する。
【０００２】
【従来の技術】
互いに並置した容器を持つ噴霧器（ｓｐｒａｙｅｒ）と推進剤容器を製品剤容器の上部に位置させた上乗せの容器を持つ噴霧器と内側及び外側の容器を形成するように推進剤容器を製品容器内に位置させた噴霧器とを含む、種種の形式の二重容器付き噴霧器はよく知られている。このような二重容器付き噴霧器の特定の利点はこれ等の噴霧器が放出口において一層少量の推進剤と一層高い製品対推進剤比との使用に適していることである。このことは揮発性有機質成分を含む推進剤のような一般的に使われるエーロゾル推進剤に関わる費用及び環境上の関連の見地から極めて望ましいことである。上乗せ式又は内外式の二重容器式噴霧器では、推進剤容器の頂部にエーロゾル弁が取付けられ、この弁は、製品及び推進剤が共に弁棒頂部に取付けたアクチュエータ内に流入できる弁棒を含む。製品用導管は、弁の下方に位置し、推進剤容器の底部の内側を経て外側に製品容器内に密封状態で下降する。アクチュエータ内にはベンチュリ構造が設けてある。エーロゾル弁を作動すると、推進剤容器からこの弁を経てベンチュリ構造を通る推進剤の流れは、製品容器から導管及び弁を経てアクチュエータ内に製品を吸引し推進剤と混合しアクチュエータから分与される。
【０００３】
内側推進剤容器及び外側製品容器を持つ満足の得られる二重容器付き噴霧器では、提供して満足させる必要のある多数の基準がある。第１にこの噴霧器は使用者にけがをさせる推進剤容器の破損に対し安全であることが必要である。第２に噴霧器は、アクチュエータに詰まりを生じたとき又は推進剤容器の弱い配置によって推進剤が製品容器に不時に入込まないようにする安全性を必要とする。第３に推進剤はアクチュエータの詰まり時に又は推進剤室及び弁取付けの弱い構造によってどのような場合にも製品容器に不時に入込むことがないようにしなければならない。その理由は、推進剤が製品に不時に加わると、噴霧器が後で作動されると（たとえば詰まったアクチュエータを清掃した後）所定の製品対推進剤比が分与のために変えられるからである。第４に噴霧器外装（ｐａｃｋａｇｉｎｇ）は、製作が経済的で使用者に対し外装全体が形状感覚、及び、図形的に使用者に美的外観を与える。第５に製品容器内の製品は、使用してないときに製品容器内の製品が噴霧器の滴下により又は外側製品容器の圧搾により蒸発したり、汚染したり噴霧器から解放されたりしないように大気に対し開放してはならない。第６にアクチュエータ内のベンチュリの構造は、前記した理由で高い製品対推進剤比を生じなければならないことである。第７に製品容器は再充てんできるようにするのが有利であり、又推進剤容器及び弁は互換性が得られるように交換可能であり種種の製品の分与の際に再使用できる。推進剤容器の閉鎖とその製品容器内への取付けは製作が簡単で推進剤による吹出しを防止するようにしてある。第８に推進剤容器及び弁構造は、推進剤容器の高速の圧力充てんが前記弁構造によって可能であり又噴霧中に製品が流動できるようにするのが有利である。この弁構造は又噴霧中は製品の流れが生ずるようにしなければならないと共に前記圧力充てん中に弁構造の流路に推進剤流れが入込まないようにする。揮発性有機質推進剤成分の圧力充てんは、よく知られているように環境上及び経済上の理由で取付けカップによる充てんによらないのが有利であり高価な推進剤の使用を比較的少量にできる。第９に弁ハウジング及び弁棒を通る製品及び推進剤の流れに対する弁作用構造は構造及びその製造が簡単である。第１０に製品を噴霧する際に製品容器内の大気圧力を保持する手段を設けて製品を製品容器から製品を吸出する際にこの製品容器が内圧の低下によって内方にゆがんだりつぶれたりしないようにする。少なくともこれ等の基準は、内側及び外側の容器を持つ工業的に満足できる経済的で安全な噴霧器に関連する。
【０００４】
従来の技術では、内側及び外側の容器を持つ噴霧器に対する前記の基準を部分的にしか満足できない。従来の技術では若干の場合に推進剤容器は外側容器であり破損によって使用者はすぐにけがをするおそれが生ずる。他の従来の技術では推進剤室内に推進剤室を位置させるが、アクチュエータ・ノズルが詰まったとき又は弁推進剤容器の満足の得られない位置決め時に推進剤が製品室内に流入して潜在的に破損を生じさせ又は最少の変化として製品対推進剤比の最終値を生ずることがないようにする。若干のその他のこのような従来の技術は種種の方式で、推進剤容器を製品容器内につり下げる複雑なそして／又は不適当な手段となる。この場合、推進剤容器の頂部から吹出しを生じ、推進剤容器から弁密封ガスケットを経て製品容器への漏れ込みを生じ、推進剤弁及び製品弁の構造が複雑になり、噴霧を使用してないときに製品容器の弁遮断が行われなくて、不適当なベンチュリ構造が使われ、そして／又は推進剤容器の圧力充てんを行う手段はない。
【０００５】
前記の従来の技術の例として、米国特許第３，２８９，９４９号、同第３，３８８，８３８号、同第３，３８９，８３７号、同第３，４０１，８４４号、同第３，４５１，５９６号、同第３，８９４，６５９号、同第４，４４１，６３２号、同第５，５０７，４２０号及び同第６，０９２，６９７号の各明細書がある。
【０００６】
【発明の要約】
本発明は、分与しようとする製品を入れるようにした薄いたわみ性のプラスチック外側容器を持つ二重容器式エーロゾル噴霧分与装置を提供する。
【０００７】
内側の実質的に剛性の容器は、外側容器内に位置させ分与しようとする製品との接触を離して加圧推進剤を含むようにしてある。エーロゾル弁取付けカップ等のような形のふたは内側容器の頂部を密封状態で閉じる。このふたの中央部に、エーロゾル弁ハウジングとふたから延びる弁棒と推進剤容器からの流れを制御する一次弁とを持つエーロゾル弁アセンブリを位置させてある。弁ハウジングの下端部から製品導管が内側推進剤容器を貫いて外側製品容器内に延びている。エーロゾル弁アセンブリは又製品容器からの流れを制御する第２の遮断弁を備え、製品流れが噴霧器が使用されていないときに第２バルブを経て噴霧器から生ずることができないようにする。従って製品容器内の製品の汚染又は蒸発が起らない。弁棒は、それぞれ上端部の開いた上向きに延びる穴を備える。これ等の穴の１つは一次弁に連通し、又別の穴は二次弁に連通する中心穴である。噴霧アクチュエータは、弁棒の頂部に取付けられ、前記各穴の上端部に重なり、放出穴を持ち、高い製品対推進剤比が得られるベンチュリ構造を持つとくに有効な挿入体を含む。弁棒はさらに、それぞれ推進剤穴及び製品穴に連通する横方向オリフィスと、噴霧器を使用してないときに横方向オリフィスに横方向に整合しこれ等のオリフィスをふさぐ第１の上部の又第２の下部のたわみ性密封ガスケットとを備える。
【０００８】
噴霧器の使用時にアクチュエータ放出穴は場合により詰まることがある。この場合、アクチュエータに入る推進剤が詰まった放出口から出ることができないので二次遮断弁を過ぎて弁棒の製品穴を流下し製品導管を下降し外側の薄肉のプラスチック製品容器内に流入するかどうかの危険な安全上の問題を招く。この手段による十分な圧力生成によって外側容器に破損を生じ潜在的には使用者を傷付ける。このような破壊を伴わなくても、この手段により十分な推進剤が製品容器に入り、詰まったアクチュエータ放出口を清掃した後引続く噴霧時に分与されるようになる製品及び推進剤は製品対推進剤比が著しく異なる値となり次いで所定の所望の比になる。このようにして過度の推進剤の使用のほかに又噴霧された製品の粒度及び噴霧模様に、従って噴霧の有効性に影響を及ぼすようになる。従って弁ハウジング内で又は製品流れの径路内の導管内で第２遮断弁の下流側に第３の一方弁を設けてある。この三次弁は、たわみ性外側製品容器に向きを誤った推進剤が入らないようにするように前記した詰まりを生じたときに閉じるようにしてある。
【０００９】
内側容器はこの容器の周辺ビードのまわりに固定した取付けカップを持つ。この周辺ビードは外側容器の上端部に隣接するたなに当てがわれこのたなにねじ又は止めキャップ（ｓｎａｐ　ｃａｐ）により保持してある。又外側容器には製品を分与する際に圧力均等化手段を設けてある。
【００１０】
さらに本発明では弁棒が貫通するこの弁棒のまわりから出る圧力充てん径路により推進剤の圧力充てんが得られる。第１の径路は圧力充てん中に第１の上部たわみ性ガスケットの上部に沿いこのガスケットの外方にそれた縁部のまわりに複数の通路を経て内側容器内に延びる。又第２の径路は圧力充てん中に第１の上部たわみ性ガスケットの上部に沿いこのガスケットの内方にそれた縁部のまわりに弁ハウジングの内部に又弁ハウジンの側壁穴を貫いて内側容器内に延びる。弁ハウジングの各側壁穴は一次弁及び二次弁の間に位置する。推進剤は充てん中に第２の下部たわみ性ガスケットの存在によって弁ハウジングの内側から製品流路のどの部分にも流れることができない。
【００１１】
本発明の他の特徴及び利点は添付図面による以下の説明から明らかである。
【００１２】
【実施例】
図１及び２は、分与しようとする製品１２を入れる薄肉のたわみ性プラスチック外側容器１１を持つエーロゾル噴霧分与装置１０を示す。容器１１は種種のプラスチック材から市場の需要に合うように種種の形状、寸法及び色彩に成形すればよい。又種種の形状をプラスチック製の外側容器１１の外形に容易に適用することができる。外側容器１１は、加圧推進剤を含まなくて、従って推進剤による変形又は破損のおそれに耐えるのに実質的な壁厚を必要としないから製造の経済性のために壁厚を薄くできる。分与しようとする製品は、家庭用剤、殺虫剤、除草剤、化粧品、塗料等を含む。
【００１３】
外側容器１１内には、液相及びまわりの気相を持つ液化推進剤（ｌｉｑｕｉｆｉｅｄ　ｐｒｏｐｅｌｌａｎｔ）１４を含む内側容器１３を設けてある。内側容器１３は、液化推進剤による変形に耐えるように実質的な剛性を持ち金属又はプラスチックで作ってある。内側容器１３はその上端部を、図示のようにエーロゾル取付けカップ（ａｅｒｏｓｏｌ　ｍｏｕｎｔｉｎｇ　ｃｕｐ）の形のふた（ｃｌｏｓｕｒｅ）１５により閉じてある。ふた１５は当業界にはよく知られているように中心の台部分１６と周辺のみぞ部分１７とを持つ。ふた１５の台部分１６内には詳しく後述するエーロゾル用の弁アセンブリ１８を取付けてある。弁アセンブリ１８は弁棒１９及び弁ハウジング２０を備える。弁棒１９は台部分１６を貫いて上向きに延びる。弁棒１９の頂部にはエーロゾル用のアクチュエータ２１を取付けてある。このアクチュエータ２１の詳細は後述する。内側容器１３内には弁ハウジング２０から下方に製品導管２２が延びている。導管２２は内側容器１３の底部を貫いて外側製品容器１１内に延びている。
【００１４】
ふた１５は、推進剤用の内側容器１３の上部内周辺ビード２３のまわりに固定した周辺みぞ部分１７により推進剤用の内側容器１３を密封する。次に固定ビード２３及びみぞ１７は円周方向のたな（ｌｅｄｇｅ）２４に乗り内側容器１３を外側容器１１に当てがう。外側容器１１の外周辺は頂部をねじ２５によりねじ込んである。プラスチック・キャップ２６に設けた円筒形ねじは、アクチュエータ２１及び弁棒１９が貫いて延びる中心穴２７を持つ。プラスチック・キャップ２６はさらに下向きに延びる円形フランジ２８を持つ。フランジ２８は、プラスチック・キャップ２６を外側プラスチック容器１１にねじ込んだときに固定ビード２３及びみぞ１７をフランジ２８及びたな２４の間に確実に捕捉する。
【００１５】
図１及び図２において、図１はエーロゾル噴霧分与装置１０をその非作動状態で示す。又図２はエーロゾル噴霧分与装置１０をその作動状態で示す。アクチュエータ２１は使用者が作動する。矢印により示すように内側容器１３からの推進剤１４は、エーロゾル弁ハウジング２０内に入り後述のようにして弁を開き弁棒１９を上昇しアクチュエータ２１に入る。アクチュエータ２１は、ベンチュリ狭搾部（Ｖｅｎｔｕｒｉ　ｃｏｎｓｔｒｉｃｔｉｏｎ）３０を持つノズル挿入体２９（後述する）を含む。ベンチュリ狭搾部３０からの推進剤１４の流れは外側製品容器１１から製品１２を吸引し三次弁（ｔｅｒｔｉａｒｙ　ｖａｌｖｅ）３１（後述する）を経て製品導管２２を上昇させ引続き導管２２を経てエーロゾル弁ハウジング２０内に入れる。このハウジング２０で後述のようにして弁を通り弁棒１９を上昇しアクチュエータ２１に入る。製品１２及び推進剤１４は、アクチュエータ２１内で簡単に混合しアクチュエータ２１の放出口３２を経て分与する。
【００１６】
とくに図３及び図４にはエーロゾル弁アセンブリ１８（又図４の場合にはアクチュエータ２１を含む）を示してある。図３は非作動状態における弁アセンブリ１８を示し、又図４は弁アセンブリ１８をその作動状態で示す。弁ハウジング２０は、ハウジング２０のまわりに部分４０で固定した取付けカップふた１５の台１６により捕捉してある。弁ハウジング２０は、内側容器１３からの推進剤１４が流入する側壁穴４１を持つ（図２参照）。製品導管２２は図示のように弁ハウジング２０の下端部に連結され製品１２を弁ハウジング２０の異なる部分に通すようにしてある。図３の非作動状態では製品１２も推進剤１４も弁ハウジング２０から弁棒１９内に流れない。
【００１７】
弁棒１９は中心製品穴４２及び片寄った推進剤穴４３を備える。各穴４２、４３は共に上端部が開いている。横方向弁棒オリフィス４４は推進剤穴４３から弁棒１９の壁を貫いて外壁の円周方向みぞ４５に到る。オリフィス４５は図３では円周方向のたわみ性密封ガスケット４６により閉じてある。ガスケット４６は本発明の一次弁（ｐｒｉｍａｒｙ　ｖａｌｖｅ）７０を形成するようにみぞ４５内に延びている。たわみ性密封ガスケット４６は、弁ハウジング２０の頂部の上向きの円周方向突起４７と取付けカップ台１６の頂部下側４８との間に捕捉してある。これに対応して交さ方向弁棒オリフィス４９は製品穴４２から弁棒１９の壁を貫いて外壁の円周方向みぞ５０に到る。オリフィス４９は図３では、本発明の二次弁（ｓｅｃｏｎｄａｒｙ　ｖａｌｖｅ）８０を形成するようにみぞ５０内に延びる円周方向密封ガスケット５１により閉じてある。
【００１８】
図４は弁棒１９の頂部に取付けたアクチュエータ２１を示す。アクチュエータ２１はベンチュリ狭搾部３０を持つノズル挿入体（ｎｏｚｚｌｅ　ｉｎｓｅｒｔ）２９を含む。とくに有利なノズル挿入体は、ロバート・アブプラナルプ（Ｒｏｂｅｒｔ　Ａｂｐｌａｎａｌｐ）を発明者とする２０００年３月１４日付米国特許第６，０３６，１１１号明細書に記載してある。この特許明細書とその内容とは本明細書に引用してある。とくに前記明細書の図５ないし図８及び図１０とノズル挿入体についてのこれ等の図に関する説明とについて留意する必要がある。ベンチュリ狭搾部３０を持つノズル挿入体２９を備えたアクチュエータ２１はアクチュエータ２１の製品みぞ内に高真空を生成し二重容器エーロゾル噴霧分与装置で極めて高い製品対推進剤比がとくに有効に得られるようになる。
【００１９】
アクチュエータ２１を使用者が作動して押下げると、弁棒１９は、弁棒１９の一部分と弁ハウジング２０の一部分との間に位置させたばね５２に逆って押される。一次弁及び二次弁のたわみ性ゴム製密封ガスケット４６、５１はそれぞれ弁棒１９のみぞ４５、５０により内周縁部を下方に押される。図４はその矢印により、弁ハウジング側壁穴４１を経て内部弁ハウジング空間５３内に、みぞ４５内に、弁棒横方向オリフィス４４を経て、弁棒推進剤穴４３を上向きにアクチュエータ２１のノズル挿入体２９の中心みぞ５４内に流れる推進剤１４を示す。ノズル挿入体２９のベンチュリ狭搾部３０を通る推進剤流れにより、高真空を生じ製品１２を外側容器１１から吸引し製品導管２２を上昇させ弁ハウジング２０の下端部に入れる。この製品は次いでみぞ５０内に入り弁棒横方向オリフィス４９を通り中心弁棒製品穴４２を上昇しアクチュエータ２１のノズル挿入体２９を囲むみぞ５５内に入る。製品及び推進剤は、これ等がベンチュリ狭搾部３０に隣接する位置で合流するまでは別別に保持され、アクチュエータ２１の放出口を経て分与される。アクチュエータ２１の作動を使用者が止めると、エーロゾル噴霧分与装置はその図１及び図３に示した非作動状態に戻る。
【００２０】
本発明のエーロゾル噴霧分与装置が作動しているときは、アクチュエータ２１の放出口３２は分与される製品により詰まるようになる。このようなときには安全上の問題があり、又噴霧の効率により前記したように提出する必要が生ずる。又図４に示すように作動中の放出口３２の詰まりを生じてもなお推進剤は推進剤穴４３を上昇し続けアクチュエータ２１内に入る。推進剤は放出口３２から出ることができないから、推進剤はアクチュエータ２１内の製品みぞ穴５５を経て弁棒製品穴４２を流下し開いた二次弁横方向オリフィス４９を経て製品導管２２を下降したわみ性の製品用の外側容器１１に向かって流れる。十分な推進剤１４が外側容器１１内に導入され、おそらくはきずが生ずると、薄肉の外側容器１１が変形し場合により破損するから、推進剤が外側容器外に達するとは考えられない。さらに、使用者が製品を流通させるようにアクチュエータ２１の作用を止めても十分な量の推進剤１４が製品１２内に滞留する。次いで引続きアクチュエータを作動すると、分散した製品は、前記した塞止の間に製品容器１１に誤って導入された推進剤と共に推進剤穴４３からの所定量の推進剤を含む。この場合、分与しようとする製品の所定の噴霧特性及び粒度の妨げになり望ましくない製品を生じ使用者の満足が得られないようになる。
【００２１】
従って図１及び図２に示すように一方弁の形の三次弁３１は製品導管２２内に位置させてある。三次弁３１は、任意の形式の一方弁の形を持ち、たとえば図示のように弁ハウジング２０の底部の上方に位置する。いずれの場合にも三次弁３１は製品流通路に二次弁の下流側に位置させなければならない。又噴霧分与装置の正常な作動中に三次弁３１により製品１２を内側容器１１から三次弁３１を過ぎ製品導管２２を上昇し弁ハウジング２０内に流入させなければならない。しかし前記した詰まりを生ずると、導管２２を三次弁３１の上方に流下する方向を誤った推進剤は、三次弁３１をすぐに閉じて方向を誤った推進剤が外側の薄肉の製品容器１１が入らないようにして、前記した安全及び効率の問題を防ぐように作用する。
【００２２】
図１及び図２に示すように、三次弁３１は、弁座５８を持を持つ弁座部材５７と、方向を誤った推進剤流れの間に弁座５８を押圧する逆止め弁用ボール（ｂａｌｌ　ｃｈｅｃｋ）５９と、正常な製品流れを所定のレベルに制御する計量みぞ穴（ｍｅｔｅｒｉｎｇ　ｃｈａｎｎｅｌ）６０と、正常な製品流れの間にボール形逆止め弁５９の運動の上限を定める内向きの突起６１とを備える。計量みぞ穴６０は、方向を誤った推進剤流れの間に逆止め弁用ボール５９により閉じられる。浸漬管６２は、弁座部材５７の下端部に取付けてある。管６３は、弁ハウジング２０の下端部と弁座部材５７の上端部とに取付けてある。弁座部材５７は図示のように内側容器１３の底部の穴に密封状態で取付けてある。製品導管２２は従って、図示の実施例では浸漬管６２、弁座部材５７及び管６３を備える。
【００２３】
１変型として計量みぞ穴６０を持つ構造は製品計量オリフィスとして被分与製品の製品流量及び粒度を制御するように作用するから、弁ハウジングの底部のオリフィス２０ａ（図１及び図４参照）は、製品計量オリフィスとして機能するようにみぞ６０の直径より小さい直径を持つような寸法にしてある。
【００２４】
本発明のエーロゾル噴霧分与装置の正常な作動中には、外側容器１１内の流体製品１２の上方の圧力は、アクチュエータ内のベンチュリ狭搾部により適正な製品吸引作用を生ずるように又外側たわみ性容器の内方へのつぶれを防ぐように実質的に大気圧に保持することが大切である。従って外側容器１１の側壁にダック・ビル弁（ｄｕｃｋ　ｂｉｌｌ　ｖａｌｖｅ）６４を設けてある。このダック・ビル弁は、外側容器１１内の圧力が製品分与により低下するときはつねに大気に開放するように機能する。
【００２５】
図５及び図６に示すように本発明の推進剤１４は、カップ充てんで得られる所望の環境上及び経済上の利点が得られるように内側容器１３内に圧力充てんする。とくに図５の矢印は、圧力充てん中の充てんヘッドからの推進剤流れの径路を示す。従来の充てんヘッド（図示していない）は、取付けカップ１５に密封状態で当てがわれ、弁棒１９を押圧し、穴４２、４３の頂部を密封し、台１６の中心穴の周辺と弁棒１９との間で周辺空間６５内に推進剤を導入する。弁棒１９を押すと、たわみ性ガスット４６の内周縁部は図示のように折曲がる。推進剤は内周縁部のまわりを流れ内部空間５３を下降し弁ハウジング２０の側壁４１を経て内側推進剤容器１４に入る。第２のたわみ性ガスケット５１は押圧弁棒１９により折れ曲がるがなおガスケット５１を過ぎ弁ハウジング２０の下端部にそして製品導管２２内に下降する推進剤の流れを阻止する。又充てん時の推進剤の流れは、第１のたわみ性ガスケット４６の上部を押圧しこの上部を過ぎその外周縁部のまわりを下降し弁ハウジング２０の上端部の周辺のまわりに設けた複数の通路６６内に入る。各リブ６７により互いに隔離されたこれ等の通路６６は図６の右側に示してある。各推進剤通路を一層明らかに示すように図６にはガスケット４６は示してない。これ等の通路は頂部から下部に開放し内側容器１４に出る。従って推進剤流れの圧力充てんのために多重径路を設けると共に、このような流れが本発明の製品流れ径路内に入らないようにする。
【００２６】
要するに本発明によれば内側及び外側の容器を持つ、高度の満足の得られる二重容器付き噴霧装置の前記した要求に適合するエーロゾル噴霧分与装置が得られる。本発明はなおその精神を逸脱しないで種種の変化変型を行うことができるのは明らかである。
【図面の簡単な説明】
【図１】
本発明噴霧分与装置の１実施例を非作動状態で示す軸断面図である。
【図２】
図１の噴霧分与装置を作動状態で示す図１と同様な軸断面図である。
【図３】
本発明のエーロゾル弁アセンブリ及びアクチュエータを非作動状態で示す拡大軸断面図である。
【図４】
図３のエーロゾル弁アセンブリ及びアクチュエータをその作動状態で示す軸断面図である。
【図５】
本発明のエーロゾル弁アセンブリを推進剤圧力充てん状態で示す拡大縦断面図である。
【図６】
図５の６−６線に沿う部分横断面図である。
【符号の説明】
１０　　　　　エーロゾル噴霧装置
１１　　　　　外側容器
１３　　　　　内側容器
１５　　　　　ふた
１８　　　　　弁アセンブリ
３１　　　　　三次弁
４２、４３　　弁棒穴
７０　　　　　一次弁
８０　　　　　二次弁
【国際公開パンフレット】
2004509743.tif 000003
2004509743.tif 000004
2004509743.tif 000005
2004509743.tif 000006
2004509743.tif 000007
2004509743.tif 000008
2004509743.tif 000009
2004509743.tif 000010
2004509743.tif 000011
2004509743.tif 000012
2004509743.tif 000013
2004509743.tif 000014
2004509743.tif 000015
2004509743.tif 000016
2004509743.tif 000017
2004509743.tif 000018
2004509743.tif 000019
2004509743.tif 000020
2004509743.tif 000021
2004509743.tif 000022
2004509743.tif 000023
2004509743.tif 000024
2004509743.tif 000025
2004509743.tif 000026
2004509743.tif 000027
2004509743.tif 000028
2004509743.tif 000029
2004509743.tif 000030
2004509743.tif 000031
2004509743.tif 000032
2004509743.tif 000033
2004509743.tif 000034
2004509743.tif 000035
【手続補正書】
【提出日】平成13年1月24日(2001.1.24)
【手続補正１】
【補正対象書類名】明細書
【補正対象項目名】特許請求の範囲
【補正方法】変更
【補正の内容】
【特許請求の範囲】
【請求項１】
エーロゾル噴霧分与装置において、
分与しようとする製品を入れるのに適する薄いたわみ性プラスチック外側容器と、
この外側容器内に位置させられ、加圧推進剤を、分与しようとする製品に接触しないで入れるのに適する実質的に剛性の内側容器と、
この内側容器の上部を閉じるふたと、
弁ハウジングと、前記ふたから外方に延びる弁棒と、前記内側容器及び外側容器からそれぞれ前記弁棒を通る流れを制御するための一次弁及び二次弁と、これ等の一次弁及び二次弁を密封するための第１及び第２の弾性の密封ガスケットとを備え、前記ふたに取付けられた弁アセンブリであって、前記弁棒が、この弁棒の上端部において開いた上向きに延びる製品穴及び推進剤穴を画定し、これ等の製品穴及び推進剤穴のうちの一方が前記一次弁に連通し、他方が前記二次弁に連通するようにして成る弁アセンブリと、
前記弁アセンブリの一端部に連結され、前記内側容器を貫き前記エーロゾル噴霧分与装置に使えるようにさらに前記製品容器の基部に近接する長さまで延びる製品流れ径路を形成する導管であって、この導管が、前記内側容器から出る箇所においてこの内側容器に対し密封状態である導管と、
前記弁棒に取付けられるのに適し、前記製品穴及び推進剤穴の上端部に位置するようにした噴霧アクチュエータであって前記製品穴及び推進剤穴に連通する放出口と、ベンチュリ狭窄部を持つノズル挿入体とを備えることにより、前記内側容器から前記ノズル挿入体を通過する推進剤が前記外側容器から製品を吸引し、この結果前記製品及び推進剤が前記噴霧アクチュエータ放出口から出るようにして成る噴霧アクチュエータと、
前記製品流れ径路内において、前記二次弁の下流側に位置させた一方弁の形の三次弁と、
を備え、
前記噴霧アクチュエータが作動させられるときに、前記三次弁は開くのに適し、製品が前記外側容器から吸引され導管を上昇させられ、そして前記噴霧アクチュエータが作動させられるときに、前記三次弁は、放出口が詰まる際に閉じて前記推進剤穴から前記噴霧アクチュエータ内への推進剤の流れを生じさせ、前記製品穴を下降させ、前記二次弁を通過させ、前記三次弁は、前記二次弁を通る前記推進剤流れの影響のもとに閉じて、推進剤がたわみ性の前記外側容器内に流入しないようにして成る、エーロゾル噴霧分与装置。
【国際調査報告】
2004509743.tif 000036